(57)【要約】【課題】液体容器内に収容された液体を簡単な操作によって定量取り出しすることができるようにした液体定量抽出具を提供することである。【解決手段】液体容器１の口部２に着脱自在に接続されるエルボ１２を一端部に有する抽出筒１１に、その抽出筒１１の先端抽出口に向けての液体の流動を許容すると共に、液体容器に向けての流動を阻止するチェックバルブ１３と、そのチェックバルブ１３の下流側に操作バルブ１５とを組込む。チェックバルブ１３の出口通路から操作バルブ１５の入口通路に至る流路を液体貯留部２０とし、液体容器１の傾動により、内部の液体を液体貯留部２０に貯留する。操作バルブ１５を開放し、液体容器１の再度の傾動により、液体貯留部２０内の貯留液体を操作バルブ１５の出口から流出させる。【選択図】図２
2015038426.tif 000002
【特許請求の範囲】
【請求項１】
液体容器の口部に着脱自在に接続されるＬ形の接続筒部を一端部に有する抽出筒に、その抽出筒の先端抽出口に向けての液体の流動を許容すると共に、液体容器に向けての流動を阻止するチェックバルブと、そのチェックバルブの下流側に操作バルブとを組込み、前記チェックバルブの出口通路から操作バルブの入口通路に至る流路を液体貯留部とした液体定量抽出具。
【請求項２】
前記操作バルブが、ホース接続筒を出口に有し、そのホース接続筒に対してフレキシブルチューブを着脱自在に接続した請求項１に記載の液体定量抽出具。
【発明の詳細な説明】
【技術分野】
【０００１】
この発明は、容器に充填された薬液等の液体を定量抽出する際に用いられる液体定量抽出具に関する。
【背景技術】
【０００２】
容器に収容された液状のうがい薬は、１回あたりの使用量が決められているため、他の容器に移し変えて使用される。また、うがい薬に限らず、容器内に収容された薬液等の液体においても、定量の取り出しを行なってから服用し、あるいは、使用することが多くある。
【０００３】
容器内の液体の定量取り出しに際し、例えば、特許文献１に記載されているような目盛付きの計量カップを用いて取り出すことが一般的に行われている。
【先行技術文献】
【特許文献】
【０００４】
【特許文献１】特開２０１１−１０６８６５号公報
【発明の概要】
【発明が解決しようとする課題】
【０００５】
ところで、計量カップを用いる液体の定量取り出しに際しては、容器内の液体を計量カップにゆっくりと注ぎ込む必要があり、ときには、多く取り出し過ぎて戻しを必要とする場合があり、取り出しに非常に手間がかかるという不都合がある。
【０００６】
この発明の課題は、液体容器内に収容された液体を簡単な操作によって定量取り出しすることができるようにした液体定量抽出具を提供することである。
【課題を解決するための手段】
【０００７】
上記の課題を解決するために、この発明においては、液体容器の口部に着脱自在に接続されるＬ形の接続筒部を一端部に有する抽出筒に、その抽出筒の先端抽出口に向けての液体の流動を許容すると共に、液体容器に向けての流動を阻止するチェックバルブと、そのチェックバルブの下流側に操作バルブとを組込み、前記チェックバルブの出口通路から操作バルブの入口通路に至る流路を液体貯留部とした構成を採用したのである。
【０００８】
上記の構成からなる液体定量抽出具において、液体容器内に収容された液体の定量取り出しに際しては、上記液体容器の口部に抽出筒の一端の接続筒部を接続する液体定量抽出具のセット状態において、閉鎖状態とされた操作バルブが下方となるように液体容器を傾ける。
【０００９】
液体容器の傾動により、その液体容器内に収容された液体は抽出筒内に流動し、その流動する液体によりチェックバルブが開放し、そのチェックバルブ内を流通して液体貯留部から操作バルブの入口通路に至り、液体貯留部内が全体にわたって液体で満たされる。
【００１０】
そこで、液体容器を一旦起立状態に戻すと、液体貯留部内の液体はチェックバルブによって液体容器側に逆流するのが防止されると共に、チェックバルブの入口通路内の液体は液体容器内に戻される。その後、操作バルブを開放し、その操作バルブの出口が下向きとなるよう液体容器を再度傾けることにより、液体貯留部内に収容された定量の液体のみが操作バルブの出口から排出され、液体の定量取り出しとされる。
【００１１】
ここで、操作バルブとして、出口にホース接続筒を有するものを採用し、そのホース接続筒にフレキシブルチューブを着脱自在に接続すると、フレキシブルチューブから定量の液体を抽出することができるため、液体容器内の薬液の服用に際し、寝たきりの病人に対して定量の薬液を服用させることができる。
【発明の効果】
【００１２】
この発明においては、上記のように、液体容器を傾けることにより液体貯留部内に液体が流入して、その液体貯留部を液体で満たすことができると共に、チェックバルブによって貯留状態に保持することができ、その後、操作バルブを開放状態として液体容器を再度傾けることにより、液体貯留部内の液体のみが操作バルブの出口から流出するため、簡単な操作によって定量の液体を抽出することができる。
【図面の簡単な説明】
【００１３】
【図１】この発明に係る液体定量抽出具を液体容器の口部にセットした状態の一部切欠正面図
【図２】図１の回路図
【図３】操作バルブの出口にフレキシブルチューブを接続した状態の一部切欠正面図
【発明を実施するための形態】
【００１４】
以下、この発明の実施の形態を図面に基づいて説明する。図１は、液体容器１の口部２にこの発明に係る液体定量抽出具１０をセットした状態を示す。液体定量抽出器１０は抽出筒１１を有し、その抽出筒１１の一端部には接続筒部としてのエルボ１２が設けられている。エルボ１２はねじ込みによる手段を介して液体容器１の口部２に着脱自在に接続されている。
【００１５】
図１および図２に示すように、抽出筒１１にはチェックバルブ１３が接続され、そのチェックバルブ１３の出口部にニップル１４がねじ込まれ、そのニップル１４に操作バルブ１５がねじ込みにより接続されている。
【００１６】
チェックバルブ１３は液体容器１内の液体が操作バルブ１５側に向けて流動するのを許容すると共に液体容器１に向けての流動を阻止するようになっている。
【００１７】
操作バルブ１５は手動式とされて操作レバー１６を有し、その操作レバー１６を回動操作することによって開閉される。また、操作バルブ１５は、ホース接続筒１７を出口に有し、そのホース接続筒１７に対して、図３に示すように、フレキシブルチューブ１８が接続可能とされている。
【００１８】
チェックバルブ１３の出口通路から操作バルブ１５の入口通路に至る流路は液体貯留部２０とされている。この液体貯留部２０は、ニップル１４を長さの異なるニップル１４と交換することによって容積の変更が可能とされている。
【００１９】
実施の形態で示す液体定量抽出具１０は上記の構造からなり、液体容器１内に収容された液体の定量取り出しに際しては、その液体容器１の口部２に液体定量抽出具１０がセットされた状態において、操作バルブ１５が下方となるように液体容器１を傾ける。この時、操作バルブ１５は閉鎖状態としておく。
【００２０】
液体容器１の傾動により、その液体容器１内に収容された液体は抽出筒１１内に流動し、その流動する液体によりチェックバルブ１３が開放し、そのチェックバルブ１３を流通して液体貯留部２０から操作バルブ１５の入口通路に至り、液体貯留部２０内が全体にわたって液体で満たされる。
【００２１】
そこで、液体容器１を一旦起立状態に戻すと、液体貯留部２０内の液体はチェックバルブ１３によって液体容器１側に逆流するのが防止されると共に、チェックバルブ１３の入口通路内の液体は液体容器１内に戻される。その後、操作レバー１６の操作により操作バルブ１５を開放し、その操作バルブ１５の出口が下向きとなるよう液体容器１を再度傾けることにより、液体貯留部２０内に収容された定量の液体が操作バルブ１５のホース接続筒１７から排出され、液体の定量取り出しとされる。
【００２２】
ここで、液体容器１を再度傾ける際、その傾き角が大きくなり過ぎると、内部の液体が抽出筒１１内に流入し、チェックバルブ１３を通って操作バルブ１５のホース接続筒１７から流出し、設定量を超える液体が流出されることになる。このため、液体容器１を再度傾ける際には、内部の液体が抽出筒１１内に流れ出ることのない傾き角をもって傾動させるようにする。このとき、抽出筒１１の端部にＬ形のエルボ１２を設けておくと、液体容器１を再度傾動させる際の傾き角を大きくとることができる。
【００２３】
上記のような液体の定量取り出しに際し、操作バルブ１５のホース接続筒１７にフレキシブルチューブ１８を着脱自在に接続すると、フレキシブルチューブ１８から定量の液体を抽出することができるため、薬液の服用に際し、寝たきりの病人に対して定量の薬液を服用させることができる。
【符号の説明】
【００２４】
１    液体容器
２    口部
１１  抽出筒
１２  エルボ（接続筒部）
１３  チェックバルブ
１５  操作バルブ
１７  ホース接続筒
１８  フレキシブルチューブ
２０  液体貯留部
【図１】
2015038426.tif 000003
【図２】
2015038426.tif 000004
【図３】
2015038426.tif 000005